【手続補正書】
【提出日】令和1年8月21日(2019.8.21)
【手続補正１】
【補正対象書類名】明細書
【補正対象項目名】０１６２
【補正方法】変更
【補正の内容】
【０１６２】
実施形態を説明した。しかし、言うまでもなく様々な修正を行うことができる。例えば、別の実施形態の要素を組み合わせ、補充し、修正し、または削除して、他の実施形態を形成してもよい。また、当業者には言うまでもないが、開示した構成やプロセスを他の構成やプロセスで置き換えてもよく、その結果の実施形態が少なくとも実質的に同じ機能を果たし、少なくとも実質的に同じように、開示した実施形態と実質的に同じ結果を達成する。したがって、本願ではこれらの実施形態及びその他の実施形態を想定している。
（付記１）
シーンに関連するライトフィールドデータから取得したビューマトリックスに属するビューの少なくとも１つのピクセルブロックを予測する方法であって、
前記方法はプロセッサにより実施され、前記ピクセルブロックの少なくとも１つの予測ピクセルに対して：
−  前記ビューマトリックスから、前記少なくとも１つの予測ピクセルが属する少なくとも１つのエピポーラ平面画像（ＥＰＩ）を取得することと、
−  単一方向予測モードのセットのうち、前記少なくとも１つのエピポーラ平面画像中の前記少なくとも１つの予測ピクセルに隣接する、前に再構成されたピクセルのセットから、少なくとも１つの最適な単一方向予測モードを決定することと、
−  前記少なくとも１つの最適な単一方向予測モードを用いて、前記少なくとも１つの予測ピクセルの予測値を外挿することとを含む、方法。
（付記２）
前記最適な単一方向予測モードを決定することは、前記ピクセルブロックの前記少なくとも１つの予測ピクセルに対して、
−  異なるフィルタリング動作を、前記単一方向予測モードのセットの各単一方向予測モードに関連付けることと、
−  各フィルタリング動作を、前記少なくとも１つのエピポーラ平面画像中の前記少なくとも１つの予測ピクセルに隣接する、前に再構成したピクセルのセットに適用し、各単一方向予測モードのエネルギーレベルを取得することであって、前記フィルタリング動作は、前記少なくとも１つのエピポーラ平面画像中の前記少なくとも１つの予測ピクセルに隣接する、前に再構成されたピクセルの輝度を分析することを含む、適用することと、
−  エネルギーレベルが、各単一方向予測モードに対して得られるエネルギーレベルの最小値の、または最大値のアーギュメントである、単一方向予測モードに対応する前記最適な単一方向予測モードを選択することとを含む、
付記１に記載の方法。
（付記３）
前記ピクセルブロックに、予測ピクセルの少なくとも１つのグループを設けることであって、前記グループは、同じラインの、同じ列の、または前記ピクセルブロックのラインまたは列に対して角方向を示す少なくとも２つのピクセルのセットの少なくとも２つのピクセルを含む、設けることとを含み、
前記最適な単一方向予測モードを決定することは、
−  異なるフィルタリング動作を、前記単一方向予測モードのセットの各単一方向予測モードに関連付けることと、
−  ピクセルグループの少なくとも１つの予測ピクセルに対して、各フィルタリング動作を、前記少なくとも１つのエピポーラ平面画像中の前記予測ピクセルに隣接する、前に再構成されたピクセルのセットに適用することと、
−  前記ピクセルグループに属するすべての予測ピクセルに同じ最適な単一方向予測モードを選択することであって、前記最適な単一方向予測モードはエネルギーレベルが、最小値、又は最大値、前記ピクセルグループの前記少なくとも１つの予測ピクセルに対して得られたエネルギーレベルのアーギュメントである、
付記１に記載の方法。
（付記４）
１つの予測ピクセルが属する少なくとも２つのエピポーラ平面画像（ＥＰＩ）が、水平エピポーラ平面画像（ＥＰＩ）及び垂直エピポーラ平面画像（ＥＰＩ）に、または異なる角度方向エピポーラ平面画像（ＥＰＩ）のセットに対応する場合、
前記最適な単一方向予測モードを決定することは、前記水平エピポーラ平面画像（ＥＰＩ）について、及び前記垂直エピポーラ平面画像について、又は異なる角度方向のエピポーラ平面画像（ＥＰＩ）について実行され、前記最適な単一方向予測モードは、エネルギーレベルが各エピポーラ平面画像に対して得られるエネルギーレベルの最小値のアーギュメントである単一方向予測モードに対応する、
付記２または３に記載の方法。
（付記５）
１つの予測ピクセルが属する少なくとも２つのエピポーラ平面画像（ＥＰＩ）が、水平エピポーラ平面画像（ＥＰＩ）及び垂直エピポーラ平面画像（ＥＰＩ）に、または異なる角度方向エピポーラ平面画像（ＥＰＩ）のセットに対応する場合、
最適な単一方向予測モードは、各エピポーラ平面画像に対して決定され、前記予測ピクセルの予測値は、各エピポーラ平面画像に対して決定される前記最適な単一方向予測モードを用いて、それぞれ得られた少なくとも２つの値の平均に対応する、
付記２または３に記載の方法。
（付記６）
異なるフィルタリング動作を、単一方向予測モードのセットの各単一方向予測モードに関連付けることは、各異なるフィルタリング動作について、前記少なくとも１つのエピポーラ平面画像中前記予測ピクセルに隣接する、前に再構成されたピクセルのセットに、作用点を配置することを含む、
付記２ないし５いずれか一に記載の方法。
（付記７）
前記少なくとも１つのエピポーラ平面画像中の前記予測ピクセルに隣接する、前に再構成されたピクセルのセットのうち、少なくとも１つの再構成ピクセルもビューに属し、前記予測ピクセルに隣接する場合、
単一方向予測モードのうちの１つは、外挿方向が、前記少なくとも１つのエピポーラ平面画像と、前記ビューとの両方に属する、前記少なくとも再構成ピクセルから、前記予測ピクセルへの方向である、単一方向予測モードに対応する、
付記１乃至６いずれか一に記載の方法。
（付記８）
シーンに関連するライトフィールドデータから得られるビューマトリックスに属するビューの少なくとも１つのピクセルブロックを符号化する方法であって、
−  請求項１乃至７いずれか一項に記載の予測する方法により、前記少なくとも１つのピクセルブロックを予測して、予測されたピクセルブロックを取得することと、
−  前記少なくとも１つのピクセルブロックと、予測されたピクセルブロックとの間の差分に対応する残差誤差を決定することと、
−  前記ピクセルブロックに関連する前記残差誤差を符号化することとを含む、
方法。
（付記９）
さらに、
−  シーンに関連するライトフィールドデータから得たビューマトリックスを表す信号に、符号化された残差誤差を挿入することと、
−  ピクセルブロック中の少なくとも１つの予測ピクセルグループを表す情報を前記信号に挿入することとを含む、
付記８に記載の方法。
（付記１０）
シーンに関連するライトフィールドデータから得られるビューマトリックスに属するビューの少なくとも１つのピクセルブロックを表す信号を復号する方法であって、
−  前記信号から、前記ピクセルブロックに関連する残差誤差を復号することと、
−  付記１乃至７いずれか一に記載の予測する方法により、前記少なくとも１つのピクセルブロックを予測して、予測されたピクセルブロックを取得することと、
−  前記残差誤差を、予測されたピクセルブロックに加算することにより、前記少なくとも１つのピクセルブロックを再構成することとを含む、
方法。
（付記１１）
前記信号から、前記ピクセルブロック中の少なくとも１つの予測ピクセルグループを表す情報を取り出すことであって、前記予測は前記情報を考慮している、ことをさらに含む、
付記１０に記載の方法。
（付記１２）
シーンに関連するライトフィールドデータから得られるビューマトリックスに属するビューの少なくとも１つのピクセルブロックを符号化する装置であって、プロセッサを有し、該プロセッサは：
−  前記少なくとも１つのピクセルブロックを予測して、予測されたピクセルブロックを求めるモジュールであって、前記ピクセルブロックの少なくとも１つの予測ピクセルに対して：
ｏ  前記ビューマトリックスから、前記予測ピクセルが属する少なくとも１つのエピポーラ平面画像（ＥＰＩ）を求めるエンティティと、
ｏ  単一方向予測モードのセットのうち、前記少なくとも１つのエピポーラ平面画像中の前記少なくとも１つの予測ピクセルに隣接する、前に再構成されたピクセルのセットから、少なくとも１つの最適な単一方向予測モードを決定するエンティティと、
ｏ  前記少なくとも１つの最適な単一方向予測モードを用いて、前記予測ピクセルの予測値を外挿する点ティティと、
−  前記少なくとも１つのピクセルブロックと、予測されたピクセルブロックとの間の差分に対応する残差誤差を決定するモジュールと、
−  前記ピクセルブロックに関連する前記残差誤差を符号化するモジュールとを有する、
装置。
（付記１３）
さらに、
−  前記シーンに関連するライトフィールドデータから得た前記ビューマトリックスを表す信号に、符号化された残差誤差を挿入するモジュールと、
−  前記ピクセルブロック中の少なくとも１つの予測ピクセルグループを表す情報を前記信号に挿入するモジュールとを含む、
付記１２に記載の符号化する装置。
（付記１４）
シーンに関連するライトフィールドデータから得られるビューマトリックスに属するビューの少なくとも１つのピクセルブロックを表す信号を復号する装置であって、プロセッサを有し、該プロセッサは：
−  前記ピクセルブロックに関連する残差誤差を復号するモジュールとを有する、
−  前記少なくとも１つのピクセルブロックを予測して、予測されたピクセルブロックを求めるモジュールであって、前記ピクセルブロックの少なくとも１つの予測ピクセルに対して：
ｏ  前記ビューマトリックスから、前記予測ピクセルが属する少なくとも１つのエピポーラ平面画像（ＥＰＩ）を求めるエンティティと、
ｏ  単一方向予測モードのセットのうち、前記少なくとも１つのエピポーラ平面画像中の前記少なくとも１つの予測ピクセルに隣接する、前に再構成されたピクセルのセットから、少なくとも１つの最適な単一方向予測モードを決定するエンティティと、
ｏ  前記少なくとも１つの最適な単一方向予測モードを用いて、前記予測ピクセルの予測値を外挿する点ティティと、
−  前記残差誤差を、予測されたピクセルブロックに加算することにより、前記少なくとも１つのピクセルブロックを再構成するモジュールとを含む、
装置。
（付記１５）
前記信号から、前記ピクセルブロック中の少なくとも１つの予測ピクセルグループを表す情報を取り出すモジュールであって、前記予測は前記情報を考慮している、モジュールをさらに有する、
付記１４に記載の復号する装置。
（付記１６）
通信ネットワークからダウンロード可能であり、及び／又はコンピュータにより読み取り可能な媒体上に記録され、及び／又はプロセッサにより実行可能であり、付記１ないし７、または８−９、または１０−１１いずれか一に記載の方法を実装するプログラムコード命令を含むコンピュータプログラム。